(57)【特許請求の範囲】
【請求項１】
用紙の折り目方向に沿って頂点が延在する略三角形状を有し、折り目が形成された用紙を跨がらせた状態で集積するとともに、前記頂点の所定領域に内外を貫通する開口部を備える鞍掛集積部と、
前記鞍掛集積部の内側に配置され、前記鞍掛集積部に集積された用紙の折り目部を内側から支持する支持部材、前記支持部材に対して用紙を支持するための上方への付勢力を付与する付勢部材、及び前記支持部材及び前記付勢部材を下方へ待避させる駆動機構を有し、前記付勢部材及び前記駆動機構の駆動によって前記支持部材が前記開口部を介して用紙積層方向に昇降可能に構成されている頂点支持部と、
前記鞍掛集積部の外側に配置され、前記鞍掛集積部に集積された用紙の折り目部にステープル針を打ち込むステープル動作を行う打針部と、
前記鞍掛集積部の内側に配置され、前記開口部を介して前記打針部により用紙に打ち込まれたステープル針の針先を受け止めて前記ステープル針を用紙に留める受針部と、
前記ステープル針の打ち込み位置に応じて、前記鞍掛集積部に集積された用紙を、前記用紙の折り目方向に沿って移動させる用紙搬送部と、
前記頂点支持部、前記打針部、前記受針部及び前記用紙搬送部を制御する制御部と、
前記鞍掛集積部の外側に配置され、前記鞍掛集積部に集積された用紙を用紙積層方向に沿って押圧して当該用紙を前記受針部に押しつける押圧部と、を有し、
前記制御部は、
用紙の集積時には、前記頂点支持部を、前記鞍掛集積部に集積された用紙の折り目部を内側から支持する通常位置に設定し、
用紙の集積後、前記押圧部により前記鞍掛集積部に集積された用紙を押圧する押圧動作を行い、その後に前記頂点支持部を前記鞍掛集積部の内方へと待避させ、前記ステープル動作を実行し、
前記ステープル動作の実行後、前記押圧部による押圧動作を終了し、その後に前記頂点支持部を前記通常位置に復帰させることを特徴とする後処理装置。

【請求項２】
前記押圧部による用紙の押圧力は、前記頂点支持部による用紙の支持力よりも大きく設定されていることを特徴とする請求項１に記載された後処理装置。
【請求項３】
前記頂点支持部の通常位置は、前記頂点支持部の先端部が、前記鞍掛集積部の頂点位置よりも上方に位置するように設定され、
前記頂点支持部の待避位置は、前記頂点支持部の先端部が、前記受針部の受針面と同じ又はそれよりも下方に位置するように設定されることを特徴とする請求項２に記載された後処理装置。
【請求項４】
画像形成システムにおいて、
用紙に画像を形成する画像形成装置と、
前記画像形成装置から排出された用紙を対象として、後処理を行う後処理装置と、
前記画像形成装置及び前記後処理装置を制御する制御部と、を有し、
前記後処理装置は、
用紙の折り目方向に沿って頂点が延在する略三角形状を有し、折り目が形成された用紙を跨がらせた状態で集積するとともに、前記頂点の所定領域に内外を貫通する開口部を備える鞍掛集積部と、
前記鞍掛集積部の内側に配置され、前記鞍掛集積部に集積された用紙の折り目部を内側から支持する支持部材、前記支持部材に対して用紙を支持するための上方への付勢力を付与する付勢部材、及び前記支持部材及び前記付勢部材を下方へ待避させる駆動機構を有し、前記付勢部材及び前記駆動機構の駆動によって前記支持部材が前記開口部を介して用紙積層方向に昇降可能に構成されている頂点支持部と、
前記鞍掛集積部の外側に配置され、前記鞍掛集積部に集積された用紙の折り目部にステープル針を打ち込むステープル動作を行う打針部と、
前記鞍掛集積部の内側に配置され、前記開口部を介して前記打針部により用紙に打ち込まれたステープル針の針先を受け止めて前記ステープル針を用紙に留める受針部と、
前記ステープル針の打ち込み位置に応じて、前記鞍掛集積部に集積された用紙を、前記用紙の折り目方向に沿って移動させる用紙搬送部と、
前記鞍掛集積部の外側に配置され、前記鞍掛集積部に集積された用紙を用紙積層方向に沿って押圧して当該用紙を前記受針部に押しつける押圧部と、を有し、
前記制御部は、
用紙の集積時には、前記頂点支持部を、前記鞍掛集積部に集積された用紙の折り目部を内側から支持する通常位置に設定し、
用紙の集積後、前記押圧部により前記鞍掛集積部に集積された用紙を押圧する押圧動作を行い、その後に前記頂点支持部を前記鞍掛集積部の内方へと待避させ、前記ステープル動作を実行し、
前記ステープル動作の実行後、前記押圧部による押圧動作を終了し、その後に前記頂点支持部を前記通常位置に復帰させることを特徴とする画像形成システム。
【請求項５】
後処理装置による後処理方法において、
前記後処理装置は、
用紙の折り目方向に沿って頂点が延在する略三角形状を有し、折り目が形成された用紙を跨がらせた状態で集積するとともに、前記頂点の所定領域に内外を貫通する開口部を備える鞍掛集積部と、
前記鞍掛集積部の内側に配置され、前記鞍掛集積部に集積された用紙の折り目部を内側から支持する支持部材、前記支持部材に対して用紙を支持するための上方への付勢力を付与する付勢部材、及び前記支持部材及び前記付勢部材を下方へ待避させる駆動機構を有し、前記付勢部材及び前記駆動機構の駆動によって前記支持部材が前記開口部を介して用紙積層方向に昇降可能に構成されている頂点支持部と、
前記鞍掛集積部の外側に配置され、前記鞍掛集積部に集積された用紙の折り目部にステープル針を打ち込むステープル動作を行う打針部と、
前記鞍掛集積部の内側に配置され、前記開口部を介して前記打針部により用紙に打ち込まれたステープル針の針先を受け止めて前記ステープル針を用紙に留める受針部と、
前記ステープル針の打ち込み位置に応じて、前記鞍掛集積部に集積された用紙を、前記用紙の折り目方向に沿って移動させる用紙搬送部と、
前記鞍掛集積部の外側に配置され、前記鞍掛集積部に集積された用紙を用紙積層方向に沿って押圧して当該用紙を前記受針部に押しつける押圧部と、を有し、
用紙の集積時に、前記頂点支持部を、前記鞍掛集積部に集積された用紙の折り目部を内側から支持する通常位置に設定する第１のステップと、
用紙の集積後、前記押圧部により前記鞍掛集積部に集積された用紙を押圧する押圧動作を行い、その後に前記頂点支持部を前記鞍掛集積部の内方へと待避させる第２のステップと、
前記第２のステップの後、前記ステープル動作を実行する第３のステップと、
ステープル動作の実行後、前記押圧部による押圧動作を終了し、その後に前記頂点支持部を前記通常位置に復帰させる第４のステップと、
を有することを特徴とする後処理方法。
【発明の詳細な説明】
【技術分野】
【０００１】
本発明は、後処理装置、画像形成システム及び後処理方法に関する。
【背景技術】
【０００２】
従来より、例えば用紙の中央に折り目部を形成した用紙を、略三角形状の鞍掛集積部に跨がるように集積し、その用紙の折り目部に綴じ処理を施すことで冊子を作成する後処理装置が知られている。綴じ処理は、打針部（ステープラー）が用紙の所定位置にステープル針を打ち込む動作と、受針部（クリンチャー）が用紙に打ち込まれたステープル針の針先を押し曲げる動作とにより実現される。
【０００３】
この類の後処理装置としては、折り目部の複数箇所で綴じ処理を行うことを想定し、ステープラーとクリンチャーとからなるステープルユニットを複数組備えるものや、単独のステープルユニットのみを備え、当該ステープルユニットを移動させることで、複数箇所への綴じ処理を行うものが知られている。
【０００４】
一方で、ステープルユニットを複数組備える構成は装置が高価になるばかりか、個々のユニットの位置決めが難しく、ステープル針の打ち込み位置のバラツキにより出力物の品質低下を招きやすい問題がある。また、ステープルユニットを移動させる方法では、移動機構が複雑となるため、装置が高価になってしまう。
【０００５】
そこで、近年では、簡素な構成で高品位な出力物を得られることから、単独のステープルユニットで構成しつつ、ステープル針の打ち込み位置の切り換えに応じて用紙を移動させることで複数箇所への綴じ処理を行う構成が知られている。
【０００６】
なお、例えば特許文献１には、凹凸形状を有する一対の圧着部材によって用紙束を綴じる圧着綴じ方式の用紙綴じ装置が開示されている。この用紙綴じ装置は、圧着部材に張り付いた用紙を剥がす用紙剥離手段を備えている。また、例えば特許文献２には、複数枚のシートを整合して所定の処理を行うシート処理装置が開示されている。このシート処理装置は、シート搬送方向の直交方向両側にシートの整合と支持とを兼ねた整合支持部を備えている。整合支持部は、一方が整合位置を規定する基準整合部、他方がシートの側端を押す移動整合部であり、移動整合部のシート支持面に凹凸を備えている。
【先行技術文献】
【特許文献】
【０００７】
【特許文献１】特開２０１４−５８３６８号公報
【特許文献２】特開２００６−６２８５７号公報
【発明の概要】
【発明が解決しようとする課題】
【０００８】
ところで、鞍掛集積部への集積時の用紙整合動作に伴う用紙同士の摩擦や、画像形成プロセスに起因した用紙の帯電が影響し、用紙は鞍掛集積部に張り付き易い状態となっている。そのため、ステープル針の打ち込み位置の切り換えに応じて用紙を移動させる際に、用紙の搬送性が妨げられ、用紙の先頭がずれた状態で搬送されるという事象が発生する。その結果、個々の綴じ位置にずれが生じ、出力部の品質低下を招いてしまうという不都合ある。
【０００９】
そこで、鞍掛集積部の内側から用紙の折り目部を支持する頂点支持部を設け、当該頂点支持部により用紙を持ち上げる方法が採られている。この方法によれば、鞍掛集積部から用紙が剥がされるため、用紙の搬送性を確保することができる。
【００１０】
しかしながら、頂点支持部で用紙を支持することで、鞍掛集積部の内側に固定的に配置されたクリンチャーと用紙との間に隙間が生じ、これにより、ステープル針の貫通力にバラツキが生じるという問題がある。
【００１１】
本発明はかかる事情に鑑みてなされたものであり、その目的は、ステープル針の貫通力のバラツキと綴じ位置のずれとを抑制することができる後処理装置、画像形成システム及び後処理方法を提供することにある。
【課題を解決するための手段】
【００１２】
かかる課題を解決するために、第１の発明は、用紙の折り目方向に沿って頂点が延在する略三角形状を有し、折り目が形成された用紙を跨がらせた状態で集積するとともに、頂点の所定領域に内外を貫通する開口部を備える鞍掛集積部と、鞍掛集積部の内側に配置され、鞍掛集積部に集積された用紙の折り目部を内側から支持する支持部材、支持部材に対して用紙を支持するための上方への付勢力を付与する付勢部材、及び支持部材及び付勢部材を下方へ待避させる駆動機構を有し、付勢部材及び駆動機構の駆動によって支持部材が開口部を介して用紙積層方向に昇降可能に構成されている頂点支持部と、鞍掛集積部の外側に配置され、鞍掛集積部に集積された用紙の折り目部にステープル針を打ち込むステープル動作を行う打針部と、鞍掛集積部の内側に配置され、開口部を介して打針部により用紙に打ち込まれたステープル針の針先を受け止めてステープル針を用紙に留める受針部と、ステープル針の打ち込み位置に応じて、鞍掛集積部に集積された用紙を、用紙の折り目方向に沿って移動させる用紙搬送部と、頂点支持部、打針部、受針部及び用紙搬送部を制御する制御部と、鞍掛集積部の外側に配置され、鞍掛集積部に集積された用紙を用紙積層方向に沿って押圧して当該用紙を受針部に押しつける押圧部と、を有する後処理装置を提供する。ここで、制御部は、用紙の集積時には、頂点支持部を、鞍掛集積部に集積された用紙の折り目部を内側から支持する通常位置に設定し、用紙の集積後、押圧部により鞍掛集積部に集積された用紙を押圧する押圧動作を行い、その後に頂点支持部を鞍掛集積部の内方へと待避させ、ステープル動作を実行し、ステープル動作の実行後、押圧部による押圧動作を終了し、その後に頂点支持部を通常位置に復帰させる。
【００１４】
また、第１の発明において、押圧部による用紙の押圧力は、頂点支持部による用紙の支持力よりも大きく設定されていることが好ましい。
【００１５】
また、第１の発明において、頂点支持部の通常位置は、頂点支持部の先端部が、鞍掛集積部の頂点位置よりも上方に位置するように設定され、頂点支持部の待避位置は、頂点支持部の先端部が、受針部の受針面と同じ又はそれよりも下方に位置するように設定されることが好ましい。
【００１７】
第２の発明は、用紙に画像を形成する画像形成装置と、画像形成装置から排出された用紙を対象として、後処理を行う後処理装置と、画像形成装置及び後処理装置を制御する制御部と、を有する画像形成システムを提供する。ここで、後処理装置は、用紙の折り目方向に沿って頂点が延在する略三角形状を有し、折り目が形成された用紙を跨がらせた状態で集積するとともに、頂点の所定領域に内外を貫通する開口部を備える鞍掛集積部と、鞍掛集積部の内側に配置され、鞍掛集積部に集積された用紙の折り目部を内側から支持する支持部材、支持部材に対して用紙を支持するための上方への付勢力を付与する付勢部材、及び支持部材及び付勢部材を下方へ待避させる駆動機構を有し、付勢部材及び駆動機構の駆動によって支持部材が開口部を介して用紙積層方向に昇降可能に構成されている頂点支持部と、鞍掛集積部の外側に配置され、鞍掛集積部に集積された用紙の折り目部にステープル針を打ち込むステープル動作を行う打針部と、鞍掛集積部の内側に配置され、開口部を介して打針部により用紙に打ち込まれたステープル針の針先を受け止めてステープル針を用紙に留める受針部と、ステープル針の打ち込み位置に応じて、鞍掛集積部に集積された用紙を、用紙の折り目方向に沿って移動させる用紙搬送部と、鞍掛集積部の外側に配置され、鞍掛集積部に集積された用紙を用紙積層方向に沿って押圧して当該用紙を受針部に押しつける押圧部と、を有している。そして、制御部は、用紙の集積時には、頂点支持部を、鞍掛集積部に集積された用紙の折り目部を内側から支持する通常位置に設定し、用紙の集積後、押圧部により鞍掛集積部に集積された用紙を押圧する押圧動作を行い、その後に頂点支持部を鞍掛集積部の内方へと待避させ、ステープル動作を実行し、ステープル動作の実行後、押圧部による押圧動作を終了し、その後に頂点支持部を通常位置に復帰させる。
【００１８】
また、第３の方法は、後処理装置による後処理方法を提供する。ここで、後処理装置は、用紙の折り目方向に沿って頂点が延在する略三角形状を有し、折り目が形成された用紙を跨がらせた状態で集積するとともに、頂点の所定領域に内外を貫通する開口部を備える鞍掛集積部と、鞍掛集積部の内側に配置され、鞍掛集積部に集積された用紙の折り目部を内側から支持する支持部材、支持部材に対して用紙を支持するための上方への付勢力を付与する付勢部材、及び支持部材及び付勢部材を下方へ待避させる駆動機構を有し、付勢部材及び駆動機構の駆動によって支持部材が開口部を介して用紙積層方向に昇降可能に構成されている頂点支持部と、鞍掛集積部の外側に配置され、鞍掛集積部に集積された用紙の折り目部にステープル針を打ち込むステープル動作を行う打針部と、鞍掛集積部の内側に配置され、開口部を介して打針部により用紙に打ち込まれたステープル針の針先を受け止めてステープル針を用紙に留める受針部と、ステープル針の打ち込み位置に応じて、鞍掛集積部に集積された用紙を、用紙の折り目方向に沿って移動させる用紙搬送部と、鞍掛集積部の外側に配置され、鞍掛集積部に集積された用紙を用紙積層方向に沿って押圧して当該用紙を受針部に押しつける押圧部と、を有している。そして、本後処理方法は、用紙の集積時に、頂点支持部を、鞍掛集積部に集積された用紙の折り目部を内側から支持する通常位置に設定する第１のステップと、用紙の集積後、押圧部により鞍掛集積部に集積された用紙を押圧する押圧動作を行い、その後に頂点支持部を鞍掛集積部の内方へと待避させる第２のステップと、第２のステップの後、ステープル動作を実行する第３のステップと、ステープル動作の実行後、押圧部による押圧動作を終了し、その後に頂点支持部を通常位置に復帰させる第４のステップと、を有している。
【発明の効果】
【００１９】
本発明によれば、ステープル動作時には、頂点支持部が鞍掛集積部の内方へと待避するため、用紙と受針部との間に生じる隙間を抑制することができる。これにより、ステープル針の貫通力にバラツキが生じるという問題を解消することができる。また、ステープル動作後は、頂点支持部が通常位置へと復帰することで、頂点支持部により用紙が持ち上げられる。これにより、鞍掛集積部から用紙が剥がされるので、ステープル針の打ち込み位置の切り換えに応じて用紙を移動させる場合であっても、用紙の搬送性が妨げられ用紙の先頭がずれた状態で搬送されるといった事象を抑制することができる。その結果、個々の綴じ位置に発生するずれが抑制され、出力部の品質低下を抑制することができる。
【図面の簡単な説明】
【００２０】
【図１】本実施形態に係る画像形成システムの全体構成を模式的に示す説明図
【図２】後処理装置の動作及び用紙搬送の概要を模式的に示す説明図
【図３】中綴じ部の構成を模式的に示す構成図
【図４】後処理装置の動作を示すフローチャート
【図５】中綴じ部の動作状態を示す説明図
【発明を実施するための形態】
【００２１】
図１は、本実施形態に係る画像形成システムの全体構成を模式的に示す説明図である。第１の実施形態に係る画像形成システムは、画像形成装置１０と、後処理装置２０とを有している。
【００２２】
画像形成装置１０は、例えば複写機といった電子写真方式の画像形成装置であり、画像データに基づいて用紙Ｐに画像を形成する。画像形成装置１０は、原稿読取装置５と、感光体１１と、帯電部１２と、像露光部１３と、現像部１４と、転写部１５Ａと、分離部１５Ｂと、クリーニング装置１６と、定着装置１８と、画像形成制御部１９とを有している。
【００２３】
原稿読取装置５は、画像形成装置１０の上部に配置され、画像を読み取る際に原稿を自動的に移動させる自動原稿送り部を備えている。この原稿読取装置５は、原稿に形成された画像を読み取り、所定の画像信号を出力する。出力された画像信号は、Ａ／Ｄ変換が施されることにより画像データとして作成される。
【００２４】
原稿読取装置５が備える画像読取制御部（図示せず）は、画像データに、シェーディング補正やディザ処理、圧縮等の処理を施し、この処理により得られた画像データを画像形成制御部１９に出力する。なお、画像データは、原稿読取装置５から出力されるデータのみならず、画像形成装置１０に接続されたパーソナルコンピュータや他の画像形成装置から受信したものであってもよい。
【００２５】
感光体１１は、帯電部１２によりその表面が一様に帯電させられる。像露光部１３は、画像データを基に画像形成制御部１９から出力される出力情報に対応して、レーザビームにより感光体１１の表面を走査露光する。これにより、一様に帯電した感光体１１の表面に潜像が形成される。現像部１４はトナーにより当該潜像を反転現像し、これにより、感光体１１の表面にトナー画像が形成される。
【００２６】
用紙収納部１７Ａに収納された用紙Ｐは、転写部１５Ａへ給紙される。転写部１５Ａは、感光体１１の表面上のトナー画像を用紙Ｐへ転写し、その後、分離部１５Ｂは、トナー画像が転写された用紙Ｐを感光体１１から分離する。中間搬送部１７Ｂは、分離された用紙Ｐを定着装置１８へ搬送する。定着装置１８は、用紙Ｐに対する加熱及び加圧により定着処理を施す。排紙部１７Ｃは、定着処理が施された用紙Ｐを後処理装置２０へ排出する。一方、クリーニング装置１６は、転写部１５Ａによりトナー画像が用紙Ｐ上へ転写された後の感光体１１の表面に残留しているトナーを除去する。
【００２７】
用紙Ｐの両面に画像形成を行う場合、定着装置１８により定着処理が施された用紙Ｐは、搬送路切換板１７Ｄにより、その搬送方向が排紙部１７Ｃ側とは異なる反転搬送部１７Ｅ側へと切り換えられる。反転搬送部１７Ｅは、用紙Ｐをスイッチバックすることにより用紙Ｐの表裏を反転させた上で用紙Ｐを転写部１５Ａへ搬送する。転写部１５Ａは、トナー画像を用紙Ｐの裏面へ転写し、当該用紙Ｐは定着装置１８を経て、排紙部１７Ｃから後処理装置２０へ排出される。
【００２８】
画像形成制御部１９は、画像形成装置１０を統合的に制御する機能を担っており、画像形成制御部１９としては、例えばＣＰＵ、ＲＯＭ、ＲＡＭ、Ｉ／Ｏインターフェースを主体に構成されたマイクロコンピュータを用いることができる。画像形成制御部１９は、ＲＯＭに格納された制御プログラムに従い、各種の演算を行い、この演算結果に基づいて画像形成装置１０の動作状態を制御する。
【００２９】
後処理装置２０は、画像形成装置１０から排出される用紙Ｐに対して、種々の後処理を行う装置である。後処理装置２０が行う後処理としては、中折り処理、中綴じ処理などが挙げられる。ここで、中折り処理は、用紙（用紙束）の中央に折りを施す処理であり、中綴じ処理は、用紙の中央に折りを施すとともにその折り目部をステープル針で綴じる処理である。もっとも、後処理装置２０は、画像形成装置１０から排出された用紙Ｐに何ら処理を施すことなく、排出することもできる。
【００３０】
後処理装置２０は、中折り部３５、中綴じ部５０、用紙断裁部６０及び後処理制御部７０を主体に構成されている。以下、中綴じ処理を前提に、後処理装置２０の構成及びその動作について説明する。ここで、図２は、後処理装置２０の動作及び用紙搬送の概要を模式的に示す説明図である。
【００３１】
画像形成装置１０から排出された用紙Ｐは、後処理装置２０の入口部２１に導入されると、入口ローラ２２により搬送され、搬送路切換部材２３によって用紙搬送路ｒ１へと導かれる。用紙搬送路ｒ１を搬送される用紙Ｐは、ほぼ垂直に下降し、所定位置（第１停止位置）Ｑ１において一時停止する。第１停止位置Ｑ１に後続の用紙Ｐが順次到達することにより、複数枚の用紙Ｐが重ね合わせられる。
【００３２】
所定枚重ね合わせられた用紙Ｐは、搬送ローラ対２４Ａ，２４Ｂによって用紙搬送路ｒ２へと送り出され、第１搬送ローラ対２４Ｃ，２４Ｄにより搬送される。第１搬送ローラ対２４Ｃ，２４Ｄは、用紙Ｐが所定位置（第２停止位置）Ｑ２へ到達すると、用紙Ｐの搬送を一時停止させる。用紙搬送路ｒ２では、用紙Ｐが直立した状態で搬送され、搬送ローラ対２４Ｂと第１搬送ローラ対２４Ｃとの間に設けられた案内板（図示せず）によってほぼ直角に向きを変えられる。これにより、後処理装置２０内部の側面側から前面側Ｂｆに回り込むような格好で用紙Ｐが搬送される。
【００３３】
次に、用紙Ｐは、第２搬送ローラ対２４Ｅによって垂直上方に搬送され、その後、水平方向に向きを変えられ、用紙搬送路ｒ３に沿って搬送される。整合部材（図示せず）は、用紙搬送路ｒ３における用紙搬送方向下流側に配置され、用紙先端部を当接させて、用紙Ｐの位置決めと各用紙Ｐの端部の整合を行うとともに、当該用紙を所定位置（第３停止位置）Ｑ３に一時停止させる。
【００３４】
用紙搬送路ｒ３には、中折り部３５が配置されている。中折り部３５は、互いに圧接する一対の折りローラや、折り板等から構成されており、用紙Ｐの中央部に折り目部ｂを形成する中折り処理を行う。具体的には、折り板を上昇させることで、用紙中央部を一対の折りローラの間に押し込ながら、折りローラを通過させ、その後に折りローラを反転させる。これにより、用紙Ｐを、その中央で折り曲げることができる。中折り部３５によって折り目部ｂが形成された用紙（以下「折丁ＰＡ」という）は、搬送ベルト４１及び搬送爪４２と、導入ガイド部材４３とによって、折り目部ｂの折り目方向に延在する用紙搬送路ｒ４を搬送され、中綴じ部５０に送られる。
【００３５】
図３は、中綴じ部５０の構成を模式的に示す構成図であり、同図において紙面垂直方向が用紙搬送路ｒ４の搬送方向と対応する。中折り部３５から送り出された折丁ＰＡは、用紙搬送路ｒ４を進行し、中綴じ部５０の所定の集積位置に積載される（図３参照）。また、後続の折丁ＰＡも用紙搬送路ｒ４を進行して、当該集積位置に順次積載される。冊子一部相当の枚数の折丁ＰＡが集積されると、中綴じ部５０は、集積された折丁ＰＡの折り目部ｂにステープル針ＳＰを施す中綴じ処理を行い、これにより冊子ＰＳを作成する。
【００３６】
中綴じ部５０は、鞍掛集積部５１と、押圧部５２と、クリンチャー（受針部）５３と、ステープラー（打針部）５４と、用紙搬送部５５，５６と、頂点支持部５７とを主体に構成されている。
【００３７】
鞍掛集積部５１は、折丁ＰＡの折り目方向に沿って頂点５１ａが延在する略三角形状を有し、例えばほぼ直交する２枚のガイド板から構成されている。鞍掛集積部５１は、折丁ＰＡを跨がらせた状態で集積する。この鞍掛集積部５１における頂点５１ａの所定領域には、その内外を貫通する開口部５１ｂが形成されている。
【００３８】
押圧部５２は、鞍掛集積部５１の外側上方に配置され、鞍掛集積部５１に集積された折丁ＰＡを用紙積層方向に押圧して、当該折丁ＰＡをクリンチャー５３に押しつけるものである。押圧部５２による折丁ＰＡの押圧力は、後述する頂点支持部５７による折丁ＰＡの支持力よりも大きくなるような関係に設定されている。
【００３９】
押圧部５２は、可動アーム５２ａの先端に固定されており、当該可動アーム５２ａの回動動作に応じて昇降動作する。可動アーム５２ａが図中時計回りに回動動作を行うと、押圧部５２が下降し、折丁ＰＡに圧接することで、折丁ＰＡの押圧動作が開始される。そして、押圧部５２による押圧力が一定の上限値に到達すると、可動アーム５２ａの回動が停止状態となる。また、可動アーム５２ａが逆方向に回動動作を行うと、押圧部５２が上昇し、折丁ＰＡの押圧動作が終了するとともに、上方の待避位置へと復帰する。
【００４０】
クリンチャー５３は、鞍掛集積部５１の内側に固定配置されている。クリンチャー５３は、鞍掛集積部５１の開口部５１ｂを介して、ステープラー５４により折丁ＰＡに打ち込まれたステープル針ＳＰの針先を受け止めて、これを折丁ＰＡに留める機能を備えている。
【００４１】
ステープラー５４は、鞍掛集積部５１の外側上方に配置され、鞍掛集積部５１に集積された折丁ＰＡの折り目部ｂにステープル針ＳＰを打ち込むステープル動作を行う。
【００４２】
ステープラー５４は、可動アーム５４ａの先端に固定されており、当該可動アーム５４ａの回動動作に応じて昇降動作する。可動アーム５４ａが図中時計回りに回動動作を行うと、ステープラー５４が下降し、そして、ステープラー５４の打針面が折丁ＰＡ（折り目部ｂ）に圧接することで、可動アーム５４ａの回動動作が停止する。また、可動アーム５４ａが逆方向に回動動作を行うと、ステープラー５４が上昇し、ステープラー５４が上方の待避位置へと復帰する。
【００４３】
用紙搬送部５５，５６は、鞍掛集積部５１に積載される折丁ＰＡを間に挟んで、用紙搬送方向（用紙搬送路ｒ４を基準）の上流側及び下流側に配置されている。用紙搬送部５５，５６は、用紙搬送方向に沿って移動可能に構成されている。用紙搬送部５５，５６は、折丁ＰＡが鞍掛集積部５１に集積される度に折丁ＰＡの端部へと押し当てられ、これにより、積載された折丁ＰＡの整合を行う。また、用紙搬送部５５，５６は、綴じ位置（ステープル針ＳＰの打ち込み位置）を切り換える際には、用紙搬送方向に沿って移動し折丁ＰＡを移動させる。これにより、折丁ＰＡと、ステープラー５４との相対的な位置関係を変更しし、ステープル針ＳＰの打ち込み位置の切り換えを行うことができる。
【００４４】
頂点支持部５７は、鞍掛集積部５１の内側に配置され、開口部５１ｂを介して用紙積層方向に沿って昇降可能に構成されている。頂点支持部５７は、鞍掛集積部５１に集積される折丁ＰＡの折り目部ｂを内側から支持する機能を担っている。
【００４５】
図３に示すように、頂点支持部５７は、支持部材５７ａと、付勢部材５７ｂと、駆動機構５７ｃとで構成されている。
【００４６】
支持部材５７ａは、折丁ＰＡの折り目部ｂを内側から支持する部材である。支持部材５７ａは、折丁ＰＡを支持する先端部が鞍掛集積部５１の頂点５１ａよりも上方に突き出すように、その位置が設定されている（通常位置）。
【００４７】
付勢部材５７ｂは、支持部材５７ａに対して上方への付勢力を付与する部材である。付勢部材５７ｂは、例えば圧縮コイルばねであり、この付勢部材５７ｂにより、折丁ＰＡを支持する支持力が付与される。
【００４８】
駆動機構５７ｃは、支持部材５７ａ及び付勢部材５７ｂを下方へ待避させる機構である。駆動機構５７ｃは、例えばソレノイドで構成されており、吸引動作に応じて、支持部材５７ａ及び付勢部材５７ｂを下方へと移動させることができる。すなわち、駆動機構５７ｃの吸引動作を行っていない状態では、支持部材５７ａは、付勢部材５７ｂに付勢されて通常位置に位置する。一方、駆動機構５７ｃが吸引動作を行うと、支持部材５７ａは、通常位置よりも下方の所定位置、具体的には、その先端部がクリンチャー５３の受針面と同じ又はそれよりも下方となる位置（以下「待避位置」という）へと待避する。
【００４９】
再び図１及び図２を参照するに、冊子ＰＳは、図示しないアーム部材や冊子搬送手段により、用紙断裁部６０へと搬送される。冊子ＰＳにおける折り目部ｂの反対側の自由端部である小口は不揃いになっている。用紙断裁部６０は冊子ＰＳの小口を断裁し、切り揃える（断裁処理）。小口が断裁処理されて作製された冊子ＰＳＳは、後処理装置２０の前面側Ｂｆの外方に配置された排紙トレイ（図示せず）に排出される。
【００５０】
後処理制御部７０は、後処理装置２０を統合的に制御する機能を担っており、後処理制御部７０としては、例えばＣＰＵ、ＲＯＭ、ＲＡＭ、Ｉ／Ｏインターフェースを主体に構成されたマイクロコンピュータを用いることができる。後処理制御部７０は、ＲＯＭに格納された制御プログラムに従い、各種の演算を行い、この演算結果に基づいて後処理装置２０の動作状態を制御する。すなわち、後処理制御部７０は、後処理装置２０の各部を制御することにより、中折り処理や中綴じ処理を行ったり、必要に応じて断裁処理を行ったりする。
【００５１】
また、本実施形態との関係において、後処理制御部７０は、以下の制御を行う。具体的には、後処理制御部７０は、折丁ＰＡの集積時には、頂点支持部５７を通常位置に設定する。また、後処理制御部７０は、折丁ＰＡの集積後、頂点支持部５７を鞍掛集積部５１の内方へと待避させた後に、ステープル動作を実行する。そして、後処理制御部７０は、ステープル動作の実行後、頂点支持部５７を通常位置に復帰させる。
【００５２】
さらに、本実施形態において、後処理制御部７０は、ステープラー５４と電気的に接続されており、ステープラー５４が打ち込むステープル針ＳＰとクリンチャー５３との機械的な接触を電気的な導通状態として検出することができる。具体的には、ステープラー５４は、電気的に絶縁された状態（フローティング）となっており、一方、クリンチャー５３は、グランド（基準電位）に接続されている。ステープル動作を行っていない場合には、ステープラー５４とクリンチャー５３とが電気的に分離しているため、ステープラー５４は絶縁された状態を維持する。一方、ステープル動作が開始され、ステープラー５４がステープル針ＳＰを打ち込むことで、ステープル針ＳＰがクリンチャー５３の受針面に当接する。これにより、ステープラー５４とクリンチャー５３とがステープル針ＳＰを介して電気的に接続し、電源電圧からの電流が、ステープラー５４、ステープル針ＳＰ、クリンチャー５３を経由してグランドへと流れる。そのため、ステープル動作中、厳密には、ステープラー５４が打ち込むステープル針ＳＰと、クリンチャー５３とが機械的に接触している期間は、後処理制御部７０に、導通状態を示す信号が入力される。
【００５３】
図４は、後処理装置２０による中綴じ処理の動作を示すフローチャートである。このフローチャートに示す処理は、後処理制御部７０によって実行される。
【００５４】
まず、ステップ１０（Ｓ１０）において、後処理制御部７０は、中折り部３５から送り出された折丁ＰＡが鞍掛集積部５１に積載されると、用紙搬送部５５，５６を折丁ＰＡの端部へと押し当て、折丁ＰＡの整合を行う。
【００５５】
ステップ１１（Ｓ１１）において、後処理制御部７０は、冊子ＰＳを構成する所定枚数分の折丁ＰＡが鞍掛集積部５１に積載されたか否かを判断する。所定枚数分の折丁ＰＡが積載された場合には、ステップ１１において肯定判定され、ステップ１２（Ｓ１２）に進む。一方、所定枚数分の折丁ＰＡが積載されていない場合には、ステップ１１において否定判定され、ステップ１０に戻る。
【００５６】
ステップ１２において、後処理制御部７０は、可動アーム５２ａを回動させて、押圧部５２による押圧動作を開始する。上述したように、押圧部５２による押圧力は、頂点支持部５７の支持力よりも大きく設定されているため、押圧部５２の押圧力を受けると、支持部材５７ａが下方へと移動し、折丁ＰＡがクリンチャー５３の受針面に押しつけられた状態となる（図５（ａ）参照）。
【００５７】
ステップ１３において、後処理制御部７０は、押圧部５２、すなわち、可動アーム５２ａの回動が停止状態であるか否かを判断する。折丁ＰＡが押圧部５２により一定の力で押圧されると、可動アーム５２ａの回動が停止する。可動アーム５２ａ（押圧部５２）が停止状態である場合には、ステップ１３において肯定判定され、ステップ１４（Ｓ１４）に進む。一方、可動アーム５２ａ（押圧部５２）が停止状態でない場合には、ステップ１３において否定判定され、ステップ１３に戻る。
【００５８】
ステップ１４において、後処理制御部７０は、駆動機構５７ｃを吸引動作させ、頂点支持部５７（支持部材５７ａ）を待避位置へと待避させる。この待避位置において、支持部材５７ａの先端は、クリンチャー５３の受針面よりも下方へと位置付けられる（図５（ｂ）参照）。
【００５９】
ステップ１５（Ｓ１５）において、後処理制御部７０は、ステープル動作を開始する。具体的には、後処理制御部７０は、可動アーム５４ａを動作させ、ステープラー５４を下降させる。ステープラー５４が下降し、鞍掛集積部５１上に積載された折丁ＰＡを介してステープラー５４の打針面に圧接すると、ステープル動作が開始する。
【００６０】
ステープル動作では、まず、ステープラー５４に内蔵された、ステープル針ＳＰを打ち出すための駆動手段であるステープルモータが動作（回転）する。これにより、ステープラー５４からステープル針ＳＰが打ち出される。ステープラー５４から打ち出されたステープル針ＳＰが折丁ＰＡを貫通すると、当該ステープル針ＳＰの先端がクリンチャー５３の受針面に到達する。この受針面は、初期的には、ステープラー５４により打ち込まれるステープル針ＳＰの針先に対して所定の角度をなすような格好で配置されている。ステープラー５４により打ち込まれるステープル針ＳＰの針先が受針面により受け止められると、針先の進入方向とのなす角に応じてステープル針ＳＰの針先が一次的に折り曲げられる。そして、ステープル針ＳＰの針先を折丁ＰＡに沿って屈曲させる。以上の動作が終了すると、ステープラー５４は待避位置へと待避させられる。
【００６１】
ステップ１６（Ｓ１６）において、後処理制御部７０は、ステープル針ＳＰが折丁ＰＡを貫通したか否かを判断する。ステープル針ＳＰの貫通は、ステープラー５４が打ち込むステープル針ＳＰとクリンチャー５３とが機械的に接触することで、後処理制御部７０により電気的な導通状態として検出される。ステープル針ＳＰが折丁ＰＡを貫通していない場合には、ステップ１６において否定判定され、ステップ１７（Ｓ１７）に進む。一方、ステープル針ＳＰが折丁ＰＡを貫通した場合には、ステップ１６において肯定判定され、ステップ１８（Ｓ１８）に進む。
【００６２】
ステップ１７において、後処理制御部７０は、ジョブを停止させる。
【００６３】
ステップ１８において、後処理制御部７０は、可動アーム５２ａを回動させ、押圧部５２を待避位置に向けて待避させる。
【００６４】
ステップ１９（Ｓ１９）において、後処理制御部７０は、押圧部５２、すなわち、可動アーム５２ａの回動が停止状態であるか否かを判断する。押圧部５２が待避位置に到達すると、可動アーム５２ａの回動が停止する。押圧部５２が停止状態である場合には、ステップ１９において肯定判定され、ステップ２０（Ｓ２０）に進む。一方、押圧部５２が停止状態でない場合には、ステップ１９において否定判定され、ステップ１９に戻る。
【００６５】
ステップ２０（Ｓ２０）において、後処理制御部７０は、駆動機構５７ｃの吸引動作を終了し、頂点支持部５７を通常位置へと復帰させる（図５（ｃ）参照）。
【００６６】
ステップ２１（Ｓ２１）において、後処理制御部７０は、作成した冊子ＰＳの部数がジョブで指定された部数に到達したか否かを判断する。このステップ２１において肯定判定された場合には、本ルーチンを終了し、ステップ２１において否定判定された場合には、ステップ１０に戻る。
【００６７】
このように本実施形態において、画像形成システムを構成する後処理装置２０は、折丁ＰＡを跨がらせた状態で集積する鞍掛集積部５１と、鞍掛集積部５１の内側に配置され、開口部５１ｂを介して鞍掛集積部５１に集積される折丁ＰＡの折り目部ｂを内側から支持する頂点支持部５７と、鞍掛集積部５１の外側に配置され、鞍掛集積部５１に集積された折丁ＰＡの折り目部ｂにステープル針ＳＰを打ち込むステープル動作を行うステープラー（打針部）５４と、鞍掛集積部５１の内側に配置され、開口部５１ｂを介してステープラー５４により折丁ＰＡに打ち込まれたステープル針ＳＰの針先を受け止めてステープル針ＳＰを折丁ＰＡに留めるクリンチャー（受針部）５３と、ステープル針ＳＰの打ち込み位置に応じて、鞍掛集積部５１に集積された折丁ＰＡを、折り目方向に沿って移動させる用紙搬送部５５，５６と、各部を制御する後処理制御部７０と、を有している。ここで、後処理制御部７０は、折丁ＰＡの集積時には、鞍掛集積部５１に集積される折丁ＰＡの折り目部ｂを内側から支持する通常位置に頂点支持部５７を設定し、折丁ＰＡの集積後、頂点支持部５７を鞍掛集積部５１の内方へと待避させた後に、ステープル動作を実行し、ステープル動作の実行後、頂点支持部５７を通常位置に復帰させることとしている。
【００６８】
この構成によれば、ステープル動作時には、頂点支持部５７が下方へと待避させられるため、折丁ＰＡとクリンチャー５３との間に生じる隙間を抑制することができる。これにより、ステープル針ＳＰの貫通力にバラツキが生じるという問題を解消することができる。また、ステープル動作後は、頂点支持部５７が通常位置へと復帰することで、当該頂点支持部５７により折丁ＰＡが持ち上げられる。これにより、鞍掛集積部５１から折丁ＰＡが剥がされるので、ステープル針ＳＰの打ち込み位置の切り換えに応じて折丁ＰＡを移動させる場合であっても、折丁ＰＡの搬送性が妨げられ折丁ＰＡの先頭がずれた状態で搬送されるといった事象を抑制することができる。その結果、個々の綴じ位置に発生するずれが抑制され、出力部の品質低下を抑制することができる。
【００６９】
また、本実施形態において、後処理装置２０は、鞍掛集積部５１の外側に配置され、鞍掛集積部５１に集積された折丁ＰＡを用紙積層方向に沿って押圧してクリンチャー５３に押しつける押圧部５２をさらに有している。この場合、後処理制御部７０は、折丁ＰＡの集積後、押圧部５２により鞍掛集積部５１に集積された折丁ＰＡを押圧する押圧動作を行い、その後に頂点支持部５７を鞍掛集積部５１の内方へと待避させる。また、後処理制御部７０は、ステープル動作の実行後、押圧部５２による押圧動作を終了し、その後に頂点支持部５７を通常位置に復帰させることとしている。
【００７０】
この構成によれば、頂点支持部５７により折丁ＰＡが支持された状態で、押圧部５２の押圧動作が行われる。押圧動作に先行して頂点支持部５７を待避させた場合には、折丁ＰＡの折り目部ｂとステープラー５４の綴じ位置との間にずれが発生することが懸念されるが、本実施形態によれば、このような問題の発生を抑制することができる。
【００７１】
また、本実施形態において、押圧部５２による折丁ＰＡの押圧力は、頂点支持部５７による折丁ＰＡの支持力よりも大きく設定されている。
【００７２】
この構成によれば、頂点支持部５７が妨げとなることなく、折丁ＰＡをクリンチャー５３の受針面に押しつけることができる。そのため、折丁ＰＡとクリンチャー５３との間に生じる隙間を抑制することができ、ステープル針ＳＰの貫通力に生じるバラツキを抑制することができる。
【００７３】
また、本実施形態において、頂点支持部５７の通常位置は、頂点支持部５７の先端部が、鞍掛集積部５１の頂点位置よりも上方に位置するように設定され、頂点支持部５７の待避位置は、頂点支持部５７の先端部が、クリンチャー５３の受針面と同じ又はこれよりも下方に位置するように設定される。
【００７４】
この構成によれば、頂点支持部５７が通常位置に存する場合には、鞍掛集積部５１から折丁ＰＡを適切に剥がすことができる。また、頂点支持部５７が待避位置に存する場合には、折丁ＰＡとクリンチャー５３との間に生じる隙間を確実に抑制することができる。
【００７５】
また、本実施形態において、頂点支持部５７は、折丁ＰＡの折り目部ｂを内側から支持する支持部材５７ａと、支持部材５７ａに対して上方への付勢力を付与する付勢部材５７ｂと、支持部材５７ａ及び付勢部材５７ｂを下方へ待避させる駆動機構５７ｃと、を有している。
【００７６】
この構成によれば、頂点支持部５７に関する通常位置と待避位置との切り換えを適切に行うことができる。また、付勢部材５７ｂにより支持部材５７ａに付勢力を与えることで、頂点支持部５７による折丁ＰＡの支持力を適切に設定することができる。なお、頂点支持部５７は、この様な構成にかえて、例えばモータやセンサーなどで構成することも可能である。
【００７７】
以上、本発明の実施形態にかかる画像形成システムについて説明したが、本発明は上述した実施形態に限定されることなく、その発明の範囲内において種々の変形が可能であることはいうまでもない。また、画像形成システムのみならず、後処理装置及び後処理装置による後処理方法、それ自体も本発明の一部として機能する。また、本実施形態では、後処理装置の制御が綴じ処理を制御するものであるが、画像形成装置の制御部がこの機能を実現してもよい。
【符号の説明】
【００７８】
１０    画像形成装置
２０    後処理装置
３５    中折り部
５０    中綴じ部
５１    鞍掛集積部
５１ａ  頂点
５１ｂ  開口部
５２    押圧部
５２ａ  可動アーム
５３    クリンチャー（受針部）
５４    ステープラー（打針部）
５４ａ  可動アーム
５５    用紙搬送部
５６    用紙搬送部
５７    頂点支持部
５７ａ  支持部材
５７ｂ  付勢部材
５７ｃ  駆動機構
６０    用紙断裁部
７０    後処理制御部
【図１】
0006582525.tif 000002
【図２】
0006582525.tif 000003
【図３】
0006582525.tif 000004
【図４】
0006582525.tif 000005
【図５】
0006582525.tif 000006